(57)【要約】【課題】仕切板に対して電装品ユニットを取り付ける際の作業性を向上させることが可能な空気調和装置の室外ユニットを提供する。【解決手段】仕切板２５は、送風機室ＳＰ１側に膨出した前方膨出部２５ｆと、後方膨出部２５ｂと、前方取付孔Ｏ１および後方取付孔Ｏ２と、前方膨出部の前方において機械室側に湾曲した湾曲部分と、後方膨出部の後方において機械室側に湾曲した湾曲部分と、を有している。電装品ユニット４５は、前端部５１ｆと後端部５１ｂとの距離が仕切板２５の前方膨出部２５ｆの前端と後方膨出部２５ｂの後端との距離未満である第１板状部材５１と、前方取付孔Ｏ１および後方取付後Ｏ２に対応する位置に設けられた前方取付爪Ｎ１および後方取付爪Ｎ２と、を有している。【選択図】図６
2008138942.tif 000002
【特許請求の範囲】
【請求項１】
空気調和装置の室外ユニット（１）であって、
内部に機械室（ＳＰ２）と送風機室（ＳＰ１）とを有する本体ケーシング（２）と、
前記本体ケーシング（２）内を前記機械室側と前記送風機室側とに略鉛直方向に仕切り、前記送風機室側に膨出した第１膨出部（２５ｆ）と、前記第１膨出部よりも後方において前記送風機室側に膨出した第２膨出部（２５ｂ）と、前記第１膨出部と前記第２膨出部との間に設けられて前記送風機室と前記機械室とを連通させる連通孔（Ｏ１、Ｏ２）と、前記第１膨出部の前方において前記機械室側に湾曲した前方湾曲部と、前記第２膨出部の後方において前記機械室側に湾曲した後方湾曲部と、を有する仕切板（２５）と、
第１端部（５１ｆ）と第２端部（５１ｂ）との距離が前記仕切板の前記第１膨出部の前端と前記第２膨出部の後端との距離未満である取付体（５１）と、前記取付体から伸びるようにして設けられており前記取付体の前記第１端部から第２端部に至るまでの部分が前記第１膨出部の前端と前記第２膨出部の後端との間に位置している状態で前記連通孔に対応する位置に設けられた取付爪（Ｎ１、Ｎ２）と、を有する電装品ユニット（４５）と、
を備えた空気調和装置の室外ユニット（１）。
【請求項２】
前記取付体の前記第１端部から前記第２端部までの距離は、前記仕切板の前記第１膨出部の後端から前記第２膨出部の前端までの距離以上である、
請求項１に記載の空気調和装置の室外ユニット。
【請求項３】
前記電装品ユニットの前記取付爪は、先端が下方に伸びており、
前記仕切板の連通孔の鉛直成分の長さは、前記取付爪の鉛直成分の長さより大きい、
請求項１または２に記載の空気調和装置の室外ユニット。
【請求項４】
前記第１膨出部と前記第２膨出部とのうち少なくとも前記送風機の風下側に位置する一方は、略鉛直方向に伸びている、
請求項１から３のいずれか１項に記載の空気調和装置の室外ユニット。
【請求項５】
前記第１膨出部と前記第２膨出部との少なくともいずれか一方は、前記仕切板の上端近傍から下端近傍まで略鉛直方向に伸びている、
請求項１から４のいずれか１項に記載の空気調和装置の室外ユニット。
【請求項６】
電装品ユニット本体（５０）と、前記電装品ユニット本体から伸びる取付部材（Ｎ１、Ｎ２）とを有する電装品ユニット（４５）と、
前記電装品ユニット本体の外縁の少なくとも一部（５１ｆ、５１ｂ）に対応する形状の被当接部（２５ｆ、２５ｂ）と、前記取付部材が連通可能であって外形が前記被当接部よりも小さい取付孔（Ｏ１、Ｏ２）とを有し、送風機室（ＳＰ１）と機械室（ＳＰ２）とを仕切る仕切板（２５）と、
を備え、
前記外縁の一部（５１ｆ、５１ｂ）から前記取付部材までの距離と、前記被当接部から前記取付孔までの距離とが略等しい、
空気調和装置の室外ユニット。
【発明の詳細な説明】
【技術分野】
【０００１】
本発明は、空気調和装置の室外ユニットに関する。
【背景技術】
【０００２】
従来、送風機室と機械室とに仕切られた構造の室外ユニットにおいて、電装品ユニットが機械室側に設けられた構造のもの（以下の特許文献１参照）が知られている。
【０００３】
このような、室外ユニットは、屋外に設置され、送風機室において雨水が通過することがある。このため、水に弱い電装品ユニットは、送風機室を通過する雨水が流れていかないように仕切板に対して機械室側に設計される。
【特許文献１】特開２００５−７６９２４号公報
【発明の開示】
【発明が解決しようとする課題】
【０００４】
しかし、電装品ユニットについては、発熱部品等が設けられているため、放熱生を確保するために、仕切板近傍に設置したい場合がある。この場合、電装品ユニットから伸びるフックを仕切板に引っ掛けるために設けられる仕切板の孔は、雨水が通過しにくいように、できるだけ小さく設計される。
【０００５】
このため、室外ユニットの製造時に仕切板に対して電装品ユニットを取り付ける際には、非常に小さな孔に対して電装品ユニットから伸びるフック部分を通過させる必要があり、組立が困難になってしまう。
【０００６】
本発明は、上述した点に鑑みてなされたものであり、本発明の課題は、仕切板に対して電装品ユニットを取り付ける際の作業性を向上させることが可能な空気調和装置の室外ユニットを提供することにある。
【課題を解決するための手段】
【０００７】
第１発明にかかる空気調和装置の室外ユニットは、本体ケーシングと、仕切板と、電装品ユニットとを備えている。本体ケーシングは、内部に機械室と送風機室とを有する。仕切板は、本体ケーシング内を機械室側と送風機室側とに略鉛直方向に仕切り、送風機室側に膨出した第１膨出部と、第１膨出部よりも後方において送風機室側に膨出した第２膨出部と、第１膨出部と第２膨出部との間に設けられて送風機室と機械室とを連通させる連通孔と、第１膨出部の前方において機械室側に湾曲した前方湾曲部と、第２膨出部の後方において機械室側に湾曲した後方湾曲部と、を有している。ここで、連通孔は、１つに限定されるものではない。また、電装品ユニットは、第１端部と第２端部との距離が仕切板の第１膨出部の前端と第２膨出部の後端との距離未満である取付体と、取付体から伸びるようにして設けられており取付体の第１端部から第２端部に至るまでの部分が第１膨出部の前端と第２膨出部の後端との間に位置している状態で連通孔に対応する位置に設けられた取付爪と、を有している。なお、ここでも取付爪は、１つに限定されるものではない。
【０００８】
ここでは、電装品ユニットを仕切板に対して取り付ける場合に、電装品ユニットの取付爪を仕切板の連通孔に対応する位置にもっていき、挿入することが困難になることがある。例えば、電装品ユニット本体によって隠れてしまうため、挿入時に取付爪の位置を視認しにくいこと等が問題としてあげられる。
【０００９】
これに対して、ここでは、電装品ユニットの第１端部と第２端部とが、自然に、仕切板の前方帽出部および後方膨出部に対応する位置に向かうように、前方湾曲部と後方湾曲部とがガイドする。これにより、ガイドされた電装品ユニットの取付爪は、仕切板に設けられた連通孔の位置と対応した場所まで移動する。この状態で、取付爪を連通孔に対して容易に連通させることができる。
【００１０】
これにより、仕切板に対する電装品ユニットの取付作業性が向上する。
【００１１】
第２発明にかかる空気調和装置の室外ユニットは、第１発明の空気調和装置の室外ユニットであって、取付体の第１端部から第２端部までの距離は、仕切板の第１膨出部の後端から第２膨出部の前端までの距離以上である。
【００１２】
ここでは、電装品ユニットを仕切板に対して取付る時において、電装品ユニットの両端と、仕切板の両膨出部との間にスペースの余裕が無い場合であっても、取付作業性が向上する。
【００１３】
第３発明にかかる空気調和装置の室外ユニットは、第１発明または第２発明の空気調和装置の室外ユニットであって、電装品ユニットの取付爪は、先端が下方に伸びている。仕切板の連通孔の鉛直成分の長さは、取付爪の鉛直成分の長さより大きい。
【００１４】
ここでは、電装品ユニットを仕切板に対して取付る時には、幅方向のガイドによって幅方向の位置が決定された後、電装品ユニットの取付爪を連通孔に連通させることができる。そして、電装品ユニットの自重で落とすことで、電装品ユニットを仕切板に対して係止させることで、容易に取付を行うことが可能になる。
【００１５】
第４発明にかかる空気調和装置の室外ユニットは、第１発明から第３発明のいずれかの空気調和装置の室外ユニットであって、第１膨出部と第２膨出部とのうち少なくとも送風機の風下側に位置する一方は、略鉛直方向に伸びている。
【００１６】
ここでは、電装品ユニットが仕切板に取り付けられた状態において、取付爪が連通している部分を介して、雨水が送風機室から機械室側に侵入してくるおそれがある。しかし、たとえ、機械室側に雨水が浸入してきたとしても、風下側に設けられている前方膨出部が侵入してくる水を伝わせて下方にガイドする導通路となることで、電装品ユニットが雨水に犯される危険性を回避することが可能になる。
【００１７】
第５発明にかかる空気調和装置の室外ユニットは、第１発明から第４発明のいずれかの空気調和装置の室外ユニットであって、第１膨出部と第２膨出部との少なくともいずれか一方は、仕切板の上端近傍から下端近傍まで略鉛直方向に伸びている。
【００１８】
ここでは、仕切板において電装品ユニットを位置決めさせるために設けられている膨出部が、仕切板の上方近傍から下方近傍に掛けて伸びているため、湾曲形状の仕切板の強度を向上させることができる。
【００１９】
第６発明にかかる空気調和装置の室外ユニットは、電装品ユニットと、仕切板とを備えている。電装品ユニットは、電装品ユニット本体と、電装品ユニット本体から伸びる取付部材とを有している。仕切板は、電装品ユニット本体の外縁の少なくとも一部に対応する形状の被当接部と、取付部材が連通可能であって外形が被当接部よりも小さい取付孔とを有しており、送風機室と機械室とを仕切る。そして、外縁の一部から取付部材までの距離と、被当接部から取付孔までの距離とが略等しい。ここで、取付孔は、１つに限定されるものではない。なお、取付部材も、１つに限定されるものではない。
【００２０】
ここでは、電装品ユニットを仕切板に対して取り付ける場合に、電装品ユニットの取付部材を仕切板の取付孔に対応する位置にもっていき、挿入することが困難になることがある。例えば、電装品ユニット本体によって取付部材が隠れてしまうため、挿入時に取付部材の位置を視認しにくいこと等が問題としてあげられる。
【００２１】
これに対して、ここでは、取付部材を外形の小さな取付孔に連通させることよりも、外形がより大きい電装品ユニット本体の外縁の一部を被当接部に対応する位置にもっていくことのほうが容易である。そして、電装品ユニット本体の外縁の一部から取付部材までの距離と被当接部から取付孔までの距離とが略等しいために、電装品ユニット本体の外縁の一部を仕切板の被当接部に対応させる位置にもっていくだけで、電装品ユニットの取付部材を、仕切板の取付孔を連通しやすい位置にもっていくことができる。
【００２２】
これにより、仕切板に対する電装品ユニットの取付作業性が向上する。
【発明の効果】
【００２３】
第１発明によれば、仕切板に対する電装品ユニットの取付作業性が向上する。
【００２４】
第２発明によれば、仕切板の両膨出部との間にスペースの余裕が無い場合であっても、取付作業性が向上する。
【００２５】
第３発明によれば、電装品ユニットの自重で落とすことで、電装品ユニットを仕切板に対して係止させることで、容易に取付を行うことが可能になる。
【００２６】
第４発明によれば、電装品ユニットが雨水に犯される危険性を回避することが可能になる。
【００２７】
第５発明によれば、湾曲形状の仕切板の強度を向上させることができる。
【００２８】
第６発明によれば、仕切板に対する電装品ユニットの取付作業性が向上する。
【発明を実施するための最良の形態】
【００２９】
本発明の一実施形態に係る空気調和装置の室外ユニット１について、図１〜図６を用いて説明する。
【００３０】
＜室外ユニット１全体の構成＞
室外ユニット１は、室外に設置されており、図１〜図４に示すように、いわゆるトランク型の室外機である。図１および図２は、室外ユニット１の外観斜視図であり、図３は、室外ユニット１の分解斜視図である。
【００３１】
なお、本明細書中、室外ユニット１について「正面」とは、左前板２２ｂ、右前板２２ｃが配置されている面を意味し、「背面」とは「正面」に対向する面を意味するものとする。また、室外ユニット１について「右」とは、室外ユニット１を正面側から見た場合の右を意味し、「左」とは、室外ユニット１を正面側から見た場合の左を意味するものとする。
【００３２】
室外ユニット１は、主に、ユニットケーシング２と、冷媒回路構成部品３と、ファン１１と、電装品ユニット４５と、を備えている。そして、室外ユニット１は、室外ユニット１の背面および左側面から外気（空気）を内部へと吸い込んで、吸い込んだ空気と冷媒との間で熱交換を行なわせる。さらに、室外ユニット１は、熱交換を行なった空気を正面から排気する。
【００３３】
＜ユニットケーシング２＞
ユニットケーシング２は、図１および図２に示すように、略直方体状に形成されており、図３または図４に示すように、主として、冷媒回路構成部品３と、ファン１１と、電装品ユニット４５と、を格納する。そして、ユニットケーシング２は、底板２１と、左前板２２ａと、上部左前板２２ｂと、右前板２２ｃと、右側板２３ａと、上部右側板２３ｂと、天板２８と、を有している。
【００３４】
ユニットケーシング２の正面は、図１および図３に示すように、左前板２２ａおよび上部左前板２２ｂによって正面視の左側側端から中央部やや右寄りの部分までが形成されている。また、右前板２２ｃによって上記中央部やや右寄りの部分から右側端までが形成されている。
【００３５】
左前板２２ａは、平面視において略Ｌ字状に形成されており、室外ユニット１の左側面から正面にかけて配置されている。また、左前板２２ａには、正面側に円状に形成された吹き出し口２７が上下方向に並んで２つ設けられている。この２つの吹き出し口２７は、ファン１１によってユニットケーシング２の背面側および左側面側から内部に取り込まれた空気を外部に排気するための開口部である。
【００３６】
上部左前板２２ｂは、平面視において略Ｌ字状に形成されて上下方向に延びる金属パネルであり、左前板２２ａの直上方に配置されている。
【００３７】
右前板２２ｃは、室外ユニット１の正面視における右側に配置されており、平面視において略Ｌ字状に形成されている。また、右前板２２ｃは、室外ユニット１の正面視における右側端で折り曲げられて背面側へと延びており、後段にて詳述するユニットケーシング２の右側面の正面側を形成している。
【００３８】
ユニットケーシング２の左側面は、図１および図３に示すように、正面視において、左前板２２ａおよび上部左前板２２ｂが室外ユニット１の左側端で折り曲げられ、後方へと延びて形成されている。なお、ユニットケーシング２の左側面には、前後方向（正面側から背面側へ向かう方向）に長い長方形状の空気吸い込み口２４ａが上下方向に並んで設けられている。
【００３９】
ユニットケーシング２の右側面は、図２および図３に示すように、室外ユニット１の正面視における右側端から延びる右前板２２ｃによって正面側が形成されており、さらに、右側板２３ａおよび上部右側板２３ｂによって、背面側が形成されている。
【００４０】
ここで、室外ユニット１の背面は、図２に示すように、右側板２３ａおよび上部右側板２３ｂによって右側部分の一部が形成されている。そして、室外ユニット１の残りの背面部分、すなわち、ユニットケーシング２の左側面の背面側の側端と、右側板２３ａおよび上部右側板２３ｂの背面側の側端との間には、開口スペースが形成されている。
【００４１】
＜仕切板２５＞
仕切板２５は、図３に示すように、平面視において送風機室ＳＰ１側に向けて凸となるように弓状に湾曲して形成され、上下方向に延びる金属製の部材である。そして、仕切板２５は、図４に示すように、ユニットケーシング２の内部空間を、左側の送風機室ＳＰ１と右側の機械室ＳＰ２とに仕切るように配置されている。
【００４２】
仕切板２５は、図６に示すように、平面視において、前方側において湾曲形状の部分からさらに送風機室ＳＰ１に膨出した前方膨出部２５ｆと、後方側において湾曲形状の部分からさらに送風機室ＳＰ１側に膨出した後方膨出部２５ｂとを有している。前方膨出部２５ｆおよび後方膨出部２５ｂは、いずれも、仕切板２５の上方から下方にかけて設けられている。
【００４３】
前方膨出部２５ｆには、図６〜図９に示すように、後述する電装品ユニット４５の前方取付爪Ｎ１を装入するための孔であって、送風機室ＳＰ１側から機械室ＳＰ２側に連通している前方取付孔Ｏ１が形成されている。また、後方膨出部２５ｂにおいても、同様に、電装品ユニット４５の後方取付爪Ｎ２を装入するための孔であって、送風機室ＳＰ１側から機械室ＳＰ２側に連通している後方取付孔Ｏ２が形成されている。これらの前方取付孔Ｏ１および後方取付爪Ｏ２は、いずれも前後方向に４〜５ｍｍ程度の幅で開口している。
【００４４】
＜ファン１１＞
ファン１１は、図３に示すように、背面側から正面側に向かう空気流れを形成するためのプロペラファンである。このファン１１は、図４に示すように、送風機室ＳＰ１において、熱交換器３０の前面側の支持部材１２に吹き出し口２７と面するように上下方向に並んで２基取り付けられている。このファン１１を回転駆動すると、室外ユニット１の内部が負圧状態となって、ユニットケーシング２の背面あるいは左側面からユニットケーシング２の正面へと向かう空気の流れが生成される。そして、上記空気の流れによって、熱交換器３０を通過した空気は左前板２２ａの吹き出し口２７から外部へと吹き出される。
【００４５】
＜冷媒回路構成部品３＞
冷媒回路構成部品３は、図３及び図４に示されるように、熱交換器３０、圧縮機４０、レシーバ４１、四路切換弁４２、閉鎖弁３７、３８等を備えている。
【００４６】
熱交換器３０は、送風機室ＳＰ１において、ユニットケーシング２の左側面から背面に沿うように配置された略Ｌ字形状の熱交換器である。そして、熱交換器３０は、第１熱交換部３１と第２熱交換部３２とを有している。
【００４７】
第１熱交換部３１は、上下方向の高さが左前板２２ａとほぼ同じ高さとなるように形成されている。
【００４８】
第２熱交換部３２は、第１熱交換部３１の直上方に配置されており、上部左前板２２ｂと上下方向の高さがほぼ同じとなるように形成されている。
【００４９】
ここで、第１熱交換部３１および第２熱交換部３２は、室外ユニット１の左側面あるいは背面側から吸い込まれた空気が通りに抜ける際に、内部を流れる冷媒と空気との間で熱交換を行なわせる。
【００５０】
なお、管板２６は、熱交換器３０の背面側の端面に対応するように設けられた金属製の板状部材である。
【００５１】
＜電装品ユニット４５＞
電装品ユニット４５は、機械室ＳＰ２の上部であって、送風機室側に近い位置に配置されており、図５に示すように、本体部５０と、第１取手部５４と、第２取手部５５と、第３取手部５６と、を備えている。また、電装品ユニット４５の重量は、約１０ｋｇである。ここで、電装品ユニット４５と仕切板２５との関係を示した上面図を図６に、送風機室ＳＰ１側から見た電装品ユニット４５および仕切板２５との斜視図を図７に、それぞれ示す。
【００５２】
本体部５０は、図４〜図７に示すように、平面視において略Ｖ字状に配置された第１板状部材５１と第２板状部材５２とが一体となって構成されている。
【００５３】
第１板状部材５１は、図４に示すように、仕切板２５の湾曲部分によって挟まれるように配置されている。この第１板状部材５１は、上下方向に延びる長方形状の板状部材であって、前方の端部である前端部５１ｆと、後方の端部である後端部５１ｂとを有している。そして、第１板状部材５１は、図５に示すように、圧縮機４０を駆動するインバータ回路を形成する比較的発熱量の大きいコンデンサ５１ｃやパワートランジスタと、パワートランジスタを冷却する大型のヒートシンク５１ｂと、を実装した駆動用Ｐ板（プリント基板）５１ａを搭載している。また、第１板状部材５１には、図６〜図９に示すように、前端部５１ｆから２ｍｍ内側において、送風機室ＳＰ１側に伸びる前方取付爪Ｎ１が設けられている。この前方取付爪Ｎ１は、送風機室ＳＰ１側に向けて伸びた後、先端が下方に向けて折れ曲がった形状となっており、仕切板２５に対して電装品ユニット４５を係止するための爪として機能する。なお、第１板状部材５１には、図６〜図９に示すように、後端部５１ｂから２ｍｍ内側において、送風機室ＳＰ１側に伸びる後方取付爪Ｎ２が、同様に設けられている。これらの前方取付爪Ｎ１および後方取付爪Ｎ２は、いずれも板厚方向における厚みが１ｍｍとなるように成型されている。また、仕切板２５の前方取付孔Ｏ１および後方取付孔Ｏ２の鉛直成分の長さは、前方取付爪Ｎ１および後方取付爪Ｎ２のそれぞれの鉛直成分の長さより大きい。
【００５４】
仕切板２５の前方膨出部２５ｆの膨出形状は、電装品ユニット４５の前端部５１ｆの外縁形状に対応するように形成されている。後方膨出部２５ｂの膨出形状は、電装品ユニット４５の後端部５１ｂの外縁形状に対応するように形成されている。
【００５５】
そして、電装品ユニット４５の前端部５１ｆから前方取付爪Ｎ１（前方取付爪Ｎ１の板厚方向における中心）までの第１板状部材５１の長手方向における距離は、仕切板２５の前方膨出部２５ｆから前方取付孔Ｏ１（第１板状部材５１の長手方向における、前方取付孔Ｏ１の中心）までの第１板状部材５１の長手方向における距離と、略等しい。また、後端部５１ｂから後方取付爪Ｎ２（後方取付爪Ｎ２の板厚方向における中心）までの距離であって第１板状部材５１の長手方向と平行な成分は、仕切板２５の後方膨出部２５ｂから後方取付孔Ｏ２（第１板状部材５１の長手方向における、後方取付孔Ｏ２の中心）までの距離であって第１板状部材５１の長手方向と平行な成分と、略等しい。
【００５６】
このため、電装品ユニット４５の前端部５１ｆもしくは後端部５１ｂが、仕切板２５の前方膨出部２５ｆもしくは後方膨出部２５ｂに対して当接した状態とするだけで、第１板状部材５１の長手方向に垂直な対面方向に向けて電装品ユニット４５を押し込むだけで、小さな前方取付爪Ｎ１および後方取付爪Ｎ２をそれぞれ前方取付孔Ｏ１および後方取付孔Ｏ２に対して連通させて、取り付けることができる。
【００５７】
第２板状部材５２は、図４に示すように、ユニットケーシング２の正面と面するように配置されており、上下方向に延びる長方形状の板状部材である。そして、第２板状部材５２は、運転制御を行うための制御回路を形成する比較的発熱量の小さい電子部品５２ｂ（図５参照）を実装した制御用Ｐ板（プリント基板）５２ａをユニットケーシング２の正面と面するように搭載している。
【００５８】
これにより、比較的発熱量の大きいコンデンサ５１ｃやパワートランジスタ等の電子部品と比較的発熱量の小さい電子部品５２ｂとを、第１板状部材５１と第２板状部材５２とにそれぞれ別々に配置することができる。
【００５９】
また、図５〜図７に示すように、第１板状部材５１と第２板状部材５２とは、第１取手部５４と、第２取手部５５と、第３取手部５６とによって、一体となるように螺着されている。
【００６０】
上記のように各取手部５４，５５，５６を設けることで、室外ユニット１に電装品ユニット４５を取り付けるたり取り外したりする場合における作業性を向上させることができる。なお、各取手部を設けることで、電装品ユニット４５の強度を向上させるといった効果もある。
【００６１】
＜電装品ユニット４５の取り付け作業＞
電装品ユニット４５の室外ユニット１への取り付け作業について、図８および図９を参照しつつ説明する。
【００６２】
まず、作業者が、電装品ユニット４５を仕切板２５に取付ようとする場合には、図８において示すように、電装品ユニット４５の後端部５１ｂが仕切板２５の後方の湾曲部分（図８において「Ｐ」で示す部分）に当接する。
【００６３】
これにより、電装品ユニット４５は、後端部５１ｂが仕切板２５の後方の湾曲部分の面に沿うようにして（図８の矢印参照）、自然に、図９に示す位置までガイドされる。
【００６４】
そうすると、ガイドされていく電装品ユニット４５は、前端部５１ｆが前方膨出部２５ｆまで、後端部５１ｂが後方膨出部２５ｂまで、それぞれ導かれ、前方取付爪Ｎ１が仕切板２５の前方取付孔Ｏ１に、後方取付爪Ｎ２が仕切板２５の後方取付孔Ｏ２に、それぞれ対応した配置状態となる。これにより、作業者は、電装品ユニット４５を送付機室ＳＰ１側に向けて押し込むことで、前方取付爪Ｎ１が、仕切板２５の前方取付孔Ｏ１に、後方取付爪Ｎ２が、仕切板２５の後方取付孔Ｏ２に、それぞれ連通した状態となる。
【００６５】
そして、電装品ユニット４５の自重によって、下方に動くことで、図７に示すように、前方取付爪Ｎ１が前方取付孔Ｏ１に、後方取付爪Ｎ２が後方取付孔Ｏ２に、それぞれ係止された状態となり、固定され、取付が終了する。
【００６６】
＜本実施形態の室外ユニット１の特徴＞
（１）
上記実施形態に係る室外ユニット１では、仕切板２５に対して電装品ユニット４５を取り付ける場合に、電装品ユニット４５の外縁が円弧状に湾曲して形成された仕切板２５の形状に沿うようにして、電装品ユニット４５は、前端部５１ｆおよび後端部５１ｂが、それぞれ仕切板２５の前方膨出部２５ｆおよび後方膨出部２５ｂに対応する位置まで、容易にガイドされる。
【００６７】
このため、取付を行う作業者は、難易度の高い作業である、前方取付爪Ｎ１および後方取付爪Ｎ２をそれぞれ前方取付孔Ｏ１および後方取付孔Ｏ２に通過させる作業を直接的に行うよりも、難易度の低い作業である、前端部５１ｆおよび後端部５１ｂをそれぞれ仕切板２５の前方膨出部２５ｆおよび後方膨出部２５ｂに当接させる、という作業を行うことより、電装品ユニット４５を取付位置まで容易にガイドさせることができる。
【００６８】
このように電装品ユニット４５がガイドされた状態においては、前方取付爪Ｎ１および後方取付爪Ｎ２は、仕切板２５の前方取付孔Ｏ１および後方取付孔Ｏ２と略同じ高さであって、略同じ方向を向いている。このため、製造作業者は、前方取付爪Ｎ１および後方取付爪Ｎ２に対する仕切板２５の前方取付孔Ｏ１および後方取付孔Ｏ２の位置合わせに苦労することなく、取付作業時における前方取付爪Ｎ１および後方取付爪Ｎ２の位置を視認することができない場合であっても、電装品ユニット４５を仕切板２５に対して容易に取り付けることができる。また、電装品ユニット４５の両端５１ｆ、５１ｂの距離よりも、仕切板２５の両膨出部２５ｆ、２５ｂとの距離の方が長いため、幅方向のスペースの余裕が無い場合であっても、取付作業性が向上する。
【００６９】
（２）
上記実施形態の仕切板２５では、電装品ユニット４５の位置決めのための膨出部２５ｆ、２５ｂが設けられている。これにより、電装品ユニット４５が仕切板２５に取り付けられた状態において、前方取付爪Ｎ１および後方取付爪Ｎ２が連通している部分を介して、雨水が送風機室ＳＰ１から機械室側ＳＰ２に侵入してくるおそれがある。しかし、たとえ、機械室側ＳＰ２に雨水が浸入してきたとしても、風下側に設けられている前方膨出部２５ｆ（風上側の後方膨出部２５ｂも同様）が侵入してくる水を伝わせて下方にガイドする導通路となることで、電装品ユニット４５が雨水に犯される危険性を回避することができる。
【００７０】
（３）
上記実施形態の仕切板２５では、電装品ユニット４５を位置決めさせるために設けられている前方膨出部２５ｆおよび後方膨出部２５ｂが、仕切板２５の上方近傍から下方近傍に掛けて伸びているため、湾曲形状の仕切板２５の強度を向上させることができる。
【００７１】
＜変形例＞
以上、本発明の一実施形態について説明したが、本発明は上記実施形態に限定されるものではなく、発明の要旨を逸脱しない範囲で種々の変更が可能である。
【００７２】
例えば、仕切板２５の前方膨出部２５ｆおよび後方膨出部２５ｂは、いずれも上端近傍から後端近傍にかけてまで、鉛直方向に伸びるように形成されている場合について説明した。
【００７３】
しかし、発明の仕切板２５としては、これに限られるものではなく、例えば、電装品ユニット４５の取付の際に湾曲部分によるガイドの終了を示す機能を果たせば十分であり、例えば、電装品ユニット４５が取付られる仕切板２５の上方においてのみ設けられている構成であってもよい。
【産業上の利用可能性】
【００７４】
本発明は、電装品ユニットを室外ユニットの仕切板に容易に取り付けることができるので、仕切板に対して電装品ユニットが取り付けられる室外ユニットの製造方法において、特に、有用である。
【図面の簡単な説明】
【００７５】
【図１】本発明の一実施形態に係る空気調和装置の室外ユニットの正面側の外観斜視図。
【図２】室外ユニットの背面側の外観斜視図。
【図３】室外ユニットの内部構成を示す部分分解斜視図。
【図４】室外ユニットにおいて、仕切板が取り付けられた状態を示す分解図。
【図５】電装品ユニットの斜視図。
【図６】電装品ユニットと仕切板との関係を示した上面図。
【図７】送風機室側から見た電装品ユニットおよび仕切板との斜視図。
【図８】仕切板の湾曲部分によって電装品ユニットがガイドされる様子を示す図。
【図９】仕切板の取付孔と電装品ユニットの取付爪とが対向した位置となっている状態を示す図。
【符号の説明】
【００７６】
１      室外ユニット（空気調和装置の室外ユニット）
２      ユニットケーシング
３      冷媒回路構成部品
２５    仕切板
４５    電装品ユニット
Ｎ１、Ｎ２      前方取付爪、後方取付爪
Ｏ１、Ｏ２      前方取付孔、後方取付孔
【図１】
2008138942.tif 000003
【図２】
2008138942.tif 000004
【図３】
2008138942.tif 000005
【図４】
2008138942.tif 000006
【図５】
2008138942.tif 000007
【図６】
2008138942.tif 000008
【図７】
2008138942.tif 000009
【図８】
2008138942.tif 000010
【図９】
2008138942.tif 000011